(57)【要約】【課題】消費電力の抑制効果を高める。【解決手段】本発明の画像形成装置の制御部は、画像形成部により画像が形成されたシートの用途が、後の工程における使用が想定されない用途である場合に、シートが搬送される過程において実行される複数の機能のうちの一部の機能をオフにした上で、画像形成部及び搬送部を動作させる制御を行う。【選択図】図２
2020183070.tif 000002
【特許請求の範囲】
【請求項１】
印刷媒体に画像を形成する画像形成部と、
前記印刷媒体の搬送を行う搬送部と、
前記画像形成部及び前記搬送部の動作を制御する制御部と、を備え、
前記制御部は、前記画像形成部により画像が形成された前記印刷媒体の用途が、後の工程における使用が想定されない用途である場合に、前記搬送部によって前記印刷媒体が搬送される過程において実行される複数の機能のうちの一部の機能をオフにして、前記画像形成部及び前記搬送部を動作させる制御を行う、
画像形成装置。
【請求項２】
前記画像形成部により画像が形成された工程における使用が想定されない用途は、前記印刷媒体の高画質な出力を要しない用途、前記画像形成部により画像が形成された前記印刷媒体の保管を要しない用途、前記印刷媒体の出力枚数が所定の枚数以下となる用途のうちの少なくとも１つを含む
請求項１に記載の画像形成装置。
【請求項３】
前記制御部によってオフされる機能は、前記印刷媒体が排紙される排紙トレイにおける前記印刷媒体の整形機能、前記排紙トレイの昇降機能、前記印刷媒体のカール調整機能、前記印刷媒体の除湿機能、及び、前記画像形成部における除電機能のうちの少なくとも１つを含む
請求項２に記載の画像形成装置。
【請求項４】
前記画像形成部により画像が形成された工程における使用が想定されない用途は、前記画像形成装置の調整機能の確認用の用途、前記画像形成装置の保守実行内容の確認用途、テスト印刷の用途、前記画像形成装置の設定情報の印刷用途、ログの印刷用途、エラー情報の印刷用途のうちの少なくとも１つを含む
請求項２又は３のいずれか一項に記載の画像形成装置。
【請求項５】
前記画像形成部により画像が形成された工程における使用が想定されない用途、及び／又は、前記制御部によってオフされる機能は、操作部に対するユーザーの入力操作により設定される
請求項１〜４のいずれか一項に記載の画像形成装置。
【請求項６】
前記制御部は、前記一部の機能をオフする場合、前記一部の機能をオフする旨をユーザーに報知する制御を行う
請求項１〜５のいずれか一項に記載の画像形成装置。
【請求項７】
前記搬送部が前記印刷媒体を搬送する過程において実行される複数の機能のうちの一部の機能がオフにされた状態で、前記制御部が前記画像形成部及び前記搬送部を動作させる制御の実行又は非実行の設定は、操作部に対するユーザーの入力操作により行われる
請求項１〜６のいずれか一項に記載の画像形成装置。
【請求項８】
印刷媒体に画像を形成する画像形成部と、前記印刷媒体の搬送を行う搬送部と、前記画像形成部及び前記搬送部の動作を制御する制御部と、を備えた画像形成装置における画像形成方法であって、
前記画像形成部により前記画像が形成された前記印刷媒体の用途が、後の工程における使用が想定されない用途である場合に、前記印刷媒体が搬送される過程において実行される複数の機能のうちの一部の機能をオフにして、前記画像形成部及び前記搬送部を動作させる手順を含む
画像形成方法。
【請求項９】
印刷媒体に画像を形成する画像形成部と、前記印刷媒体の搬送を行う搬送部と、前記画像形成部及び前記搬送部の動作を制御する制御部と、を備える画像形成装置で動作するプログラムであって、
前記画像形成部により前記画像が形成された前記印刷媒体の用途が、後の工程における使用が想定されない用途である場合に、前記印刷媒体が搬送される過程において実行される複数の機能のうちの一部の機能をオフにして、前記画像形成部及び前記搬送部を動作させる制御を行う手順を含む
プログラム。
【発明の詳細な説明】
【技術分野】
【０００１】
本発明は、画像形成装置、画像形成方法及びプログラムに関する。
【背景技術】
【０００２】
全世界的なエコロジーへの関心の高まりを受けて、画像形成装置メーカーにおいても環境配慮型製品の開発が求められている。例えば、特許文献１には、画像形成装置の復帰制御部が、省エネルギー状態から通常起動状態へ復帰させる復帰トリガーイベントに基づき、ユーザーの使用態様に合わせて、復帰する部位を選別して復帰させる技術が記載されている。具体的には、「印刷ジョブ」、「コピージョブ」、「スキャンジョブ」、「ＦＡＸジョブ」等の、復帰トリガーイベントとして特定されたジョブの種類に応じて、省エネルギー状態から復帰させる部位を切り替えることが記載されている。これにより、それぞれのジョブにおいて使用される可能性のある部位のみが復帰されるため、すべての部位を復帰させる場合と比較して消費電力を抑制することができる。
【先行技術文献】
【特許文献】
【０００３】
【特許文献１】特開２０１４−４９９５５号公報
【発明の概要】
【発明が解決しようとする課題】
【０００４】
しかしながら、特許文献１に記載の技術では、復帰トリガーイベントとして特定されたジョブと、どの部位を省エネルギー状態から復帰させるか否かについての設定を示すイベント復帰設定のデータとが、復帰設定記憶手段において一対一で対応付けられている。したがって、例えば、「印刷ジョブ」等のジョブに基づいて実施される単一の動作モード（例えば、印刷モード）においては、単一の復帰制御が行われる。それゆえ、特許文献１に記載の技術では、単一の動作モードにおいて実行される機能の種類が複数存在する場合であっても、該機能の種類に応じた復帰制御は行われないため、消費電力の抑制効果に限界があった。
【０００５】
本発明はこのような状況に鑑みてなされたものであり、本発明の目的は、消費電力の抑制効果を高めることを可能にする画像形成装置、画像形成方法及びプログラムを提供することにある。
【課題を解決するための手段】
【０００６】
上記課題を解決するため、本発明の画像形成装置は、印刷媒体に画像を形成する画像形成部と、印刷媒体の搬送を行う搬送部と、画像形成部及び搬送部の動作を制御する制御部と、を備える。制御部は、画像形成部により画像が形成された印刷媒体の用途が、後の工程における使用が想定されない用途である場合に、搬送部によって印刷媒体が搬送される過程において実行される複数の機能のうちの一部の機能をオフにして、画像形成部及び搬送部を動作させる制御を行う。
【発明の効果】
【０００７】
本発明では、画像の形成後の印刷媒体の用途に応じて、搬送部によって印刷媒体が搬送される過程において実行される複数の機能のうちの一部の機能がオフにされる。それゆえ、本発明によれば、消費電力の抑制効果を高めることができる。なお、上記した以外の課題、構成及び効果は、以下の実施形態の説明により明らかにされる。
【図面の簡単な説明】
【０００８】
【図１】本発明の一実施形態に係る画像形成装置の概要構成図である
【図２】本発明の一実施形態に係る画像形成装置の制御系の構成例を示すブロック図である。
【図３】本発明の一実施形態に係る用紙搬送経路情報テーブルの構成例を示す図である。
【図４】本発明の一実施形態に係る機能リストの構成例を示す図であるである。
【図５】本発明の一実施形態に係る設定内容の編集が可能な状態における省エネ設定画面の構成例を示す図である。
【図６】本発明の一実施形態に係る設定内容の編集が不可能な状態における省エネ設定画面の構成例を示す図である。
【図７】本発明の一実施形態に係る機能リストにおける特定の用途に対応づけられた各機能のＯＮ／ＯＦＦの設定例を示す説明図である。
【図８】本発明の一実施形態に係る機能をＯＦＦにする動作の実施の可否を問う場面で表示されるポップアップ画面の構成例を示す図である。
【図９】本発明の一実施形態に係る図８に示したポップアップ画面で「はい」が選択場合に表示される機能ＯＦＦ項目設定画面の例を示す図である。
【図１０】本発明の一実施形態に係る画像形成装置による画像形成方法の手順の例を示すフローチャートである。
【発明を実施するための形態】
【０００９】
以下、本発明を実施するための形態例について、添付図面を参照して説明する。本明細書及び図面において、実質的に同一の機能又は構成を有する構成要素は、同一の符号を付し、構成要素の重複説明は省略する。
【００１０】
＜画像形成装置の構成＞
まず、図１を参照して、本発明の一実施形態に係る画像形成装置の構成例について説明する。図１は、本発明の一実施形態に係る画像形成装置１０の概要構成図である。なお、図１には、本発明の説明に必要とされる要素又はその関連要素を記載しており、本発明の画像形成装置は図１に示す例に限定されない。
【００１１】
画像形成装置１０は、印刷ジョブに基づいて電子写真方式で用紙（印刷媒体の一例）に画像を形成可能な画像形成装置である。なお、本発明の画像形成装置は、電子写真方式で画像を形成するものに限定されず、インクジェット方式等の他の方式で画像形成を行う画像形成装置に適用されてもよい。また、本発明の画像形成装置は、画像を形成する機能を有しておればよく、例えば、印刷機能に加えてファックス機能やコピー機能等も備える複合機（ＭＦＰ：Multi-Functional Peripheral）であってもよい。
【００１２】
図１に示すように、原稿読取部１１、操作表示部１２、給紙トレイ１３、画像形成部１４、カール調整部１５、画像読取部１６、後処理部１７及び排紙トレイ１８等を備える。
【００１３】
原稿読取部１１は、プラテンガラス、光源、ＣＣＤ（Charge Coupled Device）等により構成される。原稿読取部１１は、光源から原稿へ照明走査した光の反射光を結像して光電変換することにより不図示の原稿台上に配置された原稿の画像を読み取り、読み取った画像をＡ／Ｄ変換することよりデジタル画像データに変換する。ここで、画像は、図形や写真等のイメージデータに限らず、文字や記号等のテキストデータ等も含む。
【００１４】
なお、原稿読取部１１は、不図示のＡＤＦ（Auto Document Feeder）を備え得る。ＡＤＦは、原稿読取部１１の上部に開閉可能に取り付けられ、原稿トレイに載置された原稿を１枚ずつ原稿読取部１１のプラテンガラス上の原稿読取位置に自動給送する。そして、ＡＤＦは、原稿読取部１１での読み取りが完了すると、該原稿を不図示の原稿排紙トレイに排出する。
【００１５】
操作表示部１２は、液晶パネル等からなる表示部、及び、タッチセンサ等からなる操作部等を含み、表示部及び操作部はタッチパネルとして一体に形成される。なお、操作部をマウスやタブレットなどで構成することにより、操作部と表示部とをそれぞれ別体で構成してもよい。
【００１６】
操作表示部１２は、操作部に入力されたユーザーからの操作の内容を表す操作信号を生成し、該操作信号を制御部１００（図２参照）に供給する。例えば、ユーザーより、画像形成処理の開始を指示する操作が入力された場合には、操作表示部１２は、画像形成処理を開始させる信号を生成して、制御部１００に供給する。
【００１７】
給紙トレイ１３は、画像形成部１４で画像形成が行われる用紙Ｓｈを収容する容器である。給紙トレイ１３から給紙された用紙Ｓｈは、搬送経路Ｐを通って画像形成部１４に搬送される。給紙トレイ１３は、例えば、用紙サイズ、色、紙質の異なる用紙Ｓｈを収容する複数のトレイからなる。
【００１８】
また、給紙トレイ１３には、ヒーター等よりなる除湿部１３１が設けられる。除湿部１３１による除湿が行われることにより、用紙Ｓｈのカールや波うちを軽減したり、用紙Ｓｈの湿気に起因する画像の抜けの発生を防いだりすることができる。したがって、除湿部１３１による除湿が行われることにより、用紙Ｓｈに形成される画像の高画質化を図ることができる。高画質な出力を要しない用途においては、制御部１００のＣＰＵ１０１（図２参照）が除湿機能（除湿部１３１の動作）をＯＦＦにすることにより、画像形成装置１０の省電力化を図ることができる。
【００１９】
画像形成部１４は、イエロー、マゼンタ、シアン、ブラックの各色のトナー画像を形成するための、４つの画像形成ユニット１４１Ｙ，１４１Ｍ，１４１Ｃ及び１４１Ｋを備える。画像形成ユニット１４１Ｙ，１４１Ｍ，１４１Ｃ及び１４１Ｋはそれぞれ、帯電部、ＬＥＤ書き込みユニット（レーザ光源）（いずれも図示略）、感光体ドラム及び現像部を備える。現像部は、感光体ドラムの表面（外周部）に潜像を形成するとともに、該潜像に不図示の現像器から供給されたトナーを付着させる。これにより、感光体ドラム上にトナー画像が形成される。
【００２０】
また、画像形成部１４は、中間転写ベルト１４２、２次転写部１４３、除電部１４４及び定着部１４５を備える。中間転写ベルト１４２は、各色の感光体ドラムに形成された各トナー画像が一次転写されるベルトである。２次転写部１４３は、中間転写ベルト１４２上に１次転写された各色のトナー画像を、搬送経路Ｐ上を搬送された用紙Ｓｈに２次転写するローラーである。
【００２１】
除電部１４４は、例えば、針状の形状を有し、用紙搬送方向における２次転写部１４３の下流側に設けられる。除電部１４４が、トナーと同極性の除電バイアスを用紙Ｓｈに印加することにより、除電部１４４による除電領域に到達した用紙Ｓｈの裏面の電荷が除去される。除電部１４４による除電が行われることにより、２次転写後の用紙Ｓｈの２次転写部１４３からの分離不良の発生を防ぐことができる。つまり、用紙Ｓｈの画質を向上させることができる。画像形成後の用紙Ｓｈの保管を要しない用途においては、制御部１００のＣＰＵ１０１が除電機能（除電部１４４による除電の動作）をＯＦＦにすることにより、省電力化を図ることができる。
【００２２】
定着部１４５は、２次転写部１４３で用紙Ｓｈに転写されたトナー画像を、用紙Ｓｈ上に定着させる定着処理を行う。定着部１４５によるトナー画像の定着処理は、トナー画像が転写された用紙Ｓｈを押圧及び加熱することにより行われる。定着部１４５によって加熱された用紙Ｓｈから水分が蒸発することにより、用紙Ｓｈがカールしたり、用紙Ｓｈに波うちが発生したりすることがある。このような用紙Ｓｈのカール及び／又は波うちは、用紙搬送方向における定着部１４５の下流に配置されたカール調整部１５により矯正される。
【００２３】
カール調整部１５は、例えば、ローラー１５１ａ、１５１ｂ、１５２、及び、用紙Ｓｈを搬送する搬送ベルト１５３等を含む。搬送ベルト１５３は、ローラー１５１ａ及び１５１ｂに巻回され、ローラー１５１ａ及び１５１ｂによって回転支持される。ローラー１５２は、搬送ベルト１５３の表面外側の、搬送ベルト１５３を下方から押圧可能な位置に、上下方向に移動可能な形態で配置される。これにより、搬送ベルト１５３及びローラー１５２の接触部分において、湾曲した搬送経路が形成される。この湾曲した搬送経路を用紙Ｓｈが通過することにより、用紙Ｓｈに発生したカールや波うち等が矯正される。
【００２４】
ローラー１５２が上方に移動する場合、ローラー１５２の搬送ベルト１５３への食い込みは強くなるため、搬送経路の湾曲は強くなる。つまり、用紙Ｓｈのカール調整強度は高くなる。一方、ローラー１５２が下方に移動する場合、ローラー１５２の搬送ベルト１５３への食い込みは弱くなるため、搬送経路の湾曲は弱くなる。つまり、用紙Ｓｈのカール調整強度は低くなる。制御部１００は、カール調整の調整値に応じてローラー１５２の位置を変更することにより、カール調整強度を調整する。画像形成後の用紙Ｓｈの保管を要しない用途においては、制御部１００がローラー調整機能をＯＦＦにする（用紙Ｓｈの搬送経路を、カール調整部１５を通過しない経路に切り替える）ことにより、省電力化を図ることができる。
【００２５】
画像読取部１６は、ＣＣＤ等のイメージセンサと、不図示の走査制御部等を備える。画像読取部１６は、走査制御部による制御に基づいて、搬送経路Ｐを搬送される用紙Ｓｈを走査し、読み取り画像を取得する。読み取り画像は、後述の画像検出部１５０（図２参照）に出力される。なお、本実施形態では、画像読取部１６が画像形成装置１０の内部に組み込まれる例を挙げたが、本発明はこれに限定されない。画像の読み取りを行う画像読取装置が、画像形成装置と別の装置として設けられる構成としてもよい。
【００２６】
後処理部１７は、画像形成部１４で画像が形成された用紙について印刷ジョブに含まれる印刷設定に基づいて後処理を実行する。後処理部１７によって実行される後処理には、例えば、用紙の束をステープルで綴じるステープル処理、用紙の端部にファイリング用の穴をあけるパンチ穴あけ処理、用紙を束ねて本の形に成形するくるみ製本処理、用紙を折る折り加工処理、および用紙の端部を切断するトリマ処理等がある。
【００２７】
排紙トレイ１８は、搬送経路Ｐを搬送されてきた用紙Ｓｈが排出されるトレイであり、用紙整形機能及びトレイ昇降機能を有する。用紙整形機能では、一連の出力物をまとめる目的で、画像形成装置１０から排紙された用紙Ｓｈのソートや、ソートが行われた用紙Ｓｈのジョブ単位又は部数単位でのシフトなどが行われる。トレイ昇降機能では、排紙トレイ１８に排出される用紙Ｓｈの量（枚数）に応じて、不図示のトレイ駆動用のモーターが動作することにより、排紙トレイ１８が昇降する。
【００２８】
排紙トレイ１８に排紙される用紙Ｓｈの出力枚数が少なくなる（所定の枚数以下になる）用途においては、制御部１００のＣＰＵ１０１が用紙整形機能をＯＦＦにすることにより、省電力化を図ることができる。所定の枚数は、例えば、排紙トレイ１８における用紙整形機能が動作する閾値に設定されている枚数である。
【００２９】
また、排紙トレイ１８に排紙される用紙Ｓｈの出力枚数が少なくなる（所定の枚数以下になる）用途において、制御部１００のＣＰＵ１０１がトレイ昇降機能をＯＦＦにすることにより、省電力化を図ることができる。所定の枚数は、例えば、排紙トレイ１８の昇降機能が動作する閾値に設定されている枚数である。
【００３０】
＜画像形成装置の制御系の構成例＞
次に、図２を参照して、画像形成装置１０の制御系の構成例について説明する。図２は、画像形成装置１０の制御系の構成例を示すブロック図である。
【００３１】
図２に示すように、画像形成装置１０は、制御部１００、ネットワーク制御部１１０、操作表示部１２、給紙部１２０、用紙搬送部１３０（搬送部の一例）、原稿読取部１１、ＲＩＰ（Raster Image Processor）部１４０、画像形成部１４、画像読取部１６、画像検出部１５０、後処理部１７及び排紙制御部１６０等を含む。これらは、内部バスＢを介して相互に通信可能に接続されている。
【００３２】
制御部１００は、内部バスＢを介して接続される上記各部の動作を制御する。図２に示すように、制御部１００は、ＣＰＵ１０１、メモリ１０２、記憶部１０３及び通信制御部１０４等を含む。
【００３３】
ＣＰＵ（Central Processing Unit）１０１は、プログラムに従って、内部バスＢを介して接続される上記各部の動作の制御や各種の演算処理を行う。画像形成装置１０の各機能は、対応するプログラムをＣＰＵ１０１が実行することによって発揮される。ＣＰＵ１０１は、自身が複数の処理を同時に実行できるように、マルチコアに構成されてもよい。
【００３４】
例えば、ＣＰＵ１０１は、予め設定された用紙搬送経路情報テーブルＴに基づいて、「コピー」、「プリント」、「インライン測定プリント」、「スキャン」等の各動作モードにおける各部の動作を制御する。用紙搬送経路情報テーブルＴは、画像形成装置１０の各動作モードと、該動作モードにおいて動作する部との対応が記された情報であり、例えば、記憶部１０３等に記憶される。用紙搬送経路情報テーブルＴについては、後述の図３を参照して詳述する。
【００３５】
また、例えば、ＣＰＵ１０１は、画像形成部１４により画像が形成された用紙Ｓｈの用途が、後の工程における使用が想定されない用途である場合に、用紙搬送部１３０によって用紙Ｓｈが搬送される過程において実行される複数の機能のうちの一部の機能をＯＦＦにした上で、画像形成部１４及び用紙搬送部１３０を動作させる制御を行う。
【００３６】
後の工程における使用が想定されない用途には、例えば、高画質な出力を要しない用途、画像の形成後の用紙Ｓｈの保管を要しない用途、用紙Ｓｈの出力枚数が所定の枚数以下となる用途等がある。これらの用途の具体例には、例えば、画像形成装置１０の調整機能の動作確認用の印刷用途、画像形成装置１０の保守実行時の印刷用途、テスト印刷の用途、画像形成装置１０の設定情報の印刷用途、ログの印刷用途、エラー情報の印刷用途等がある。
【００３７】
用紙搬送部１３０によって用紙Ｓｈが搬送される過程において実行される複数の機能には、例えば、排紙トレイ１８における用紙整形機能、排紙トレイ１８の昇降機能、用紙Ｓｈのカール調整機能、用紙Ｓｈの除湿機能、及び、画像形成部１４における除電機能等がある。これらの各機能と、画像形成装置１０の用途とは、予め、機能リストＬとして記憶部１０３等に記憶される。機能リストＬについては、後述の図４を参照して詳述する。
【００３８】
メモリ１０２は、各種プログラムや各種データなどを記憶するためのＲＯＭ（Read Only Memory）、ワークエリアとして一時的にプログラムやデータを記憶するためのＲＡＭ（Random Access Memory）等で構成される。メモリ１０２は、例えば、ＣＰＵ１０１がプログラムに従って各部の動作の制御や各種の演算処理を行った結果を記憶する。
【００３９】
記憶部１０３は、例えば、ＨＤＤ（Hard Disk Drive）、ＳＳＤ（Solid State Drive）等で構成され、オペレーティングシステム（ＯＳ）を含む各種プログラムや各種データなどを格納する。記憶部１０３には、原稿データについてのオブジェクトの種類、数、解像度、データ容量、フォントタイプのほか、ＲＩＰ後のデータ容量などが記憶される。また、記憶部１０３には、上述した用紙搬送経路情報テーブルＴや機能リストＬなども記憶される。
【００４０】
通信制御部１０４は、画像形成部１４等の各部と内部バスＢを介して通信するための画像形成装置１０内のインターフェースである。
【００４１】
ネットワーク制御部１１０は、ネットワークＮを介して接続される端末装置５０等の外部機器と通信を行うためのインターフェースである。ネットワーク制御部１１０は、例えば、端末装置５０から送信された印刷ジョブを受信する。
【００４２】
ネットワーク制御部１１０には、イーサネット（登録商標）、トークンリング、ＦＤＤＩ（Fiber-Distributed Data Interface）等の規格によるネットワークインターフェースや、シリアルインターフェース、パラレルインターフェース、無線通信インターフェースなどを用いることができる。シリアルインターフェースには、例えば、ＵＳＢ（Universal Serial Bus）、ＩＥＥＥ１３９４等がある。パラレルインターフェースには、例えば、ＳＣＳＩ（Small Computer System Interface）、ＩＥＥＥ（Institute of Electrical and Electronics Engineers）１２８４等がある。無線通信インターフェースには、Ｂｌｕｅｔｏｏｔｈ（登録商標）、ＩＥＥＥ８０２．１１、ＨｏｍｅＲＦ（Radio Frequency）、ＩｒＤＡ（Infrared Data Association）等がある。
【００４３】
操作表示部１２は、タッチパネル、テンキー等を備え、ユーザーによる各種設定の入力および各種情報の表示に使用される。給紙部１２０は、給紙トレイ１３に収容された用紙を１枚ずつ搬送経路Ｐ（図１参照）に送り出す。例えば、給紙部１２０は、印刷の用途毎等に応じて、これらの複数のトレイの中から最適なトレイを選択する。
【００４４】
用紙搬送部１３０は、給紙部１２０から供給される用紙Ｓｈの画像形成部１４への搬送、画像形成部１４により画像が形成された用紙Ｓｈの排紙トレイ１８への搬送を行う。原稿読取部１１は、原稿台上の原稿の画像を読み取り、読み取った画像をＡ／Ｄ変換器によりデジタル画像データに変換する。
【００４５】
ＲＩＰ部１４０は、印刷ジョブに含まれる原稿データをラスタデータに変換するＲＩＰ処理（ラスタライズ処理）を実行する。画像形成部１４は、帯電、露光、現像、転写および定着の各工程を含む電子写真方式のプロセス等の周知の作像プロセスを用いて、ネットワーク制御部１１０を介して受信した原稿データや、通信制御部１０４を介して制御部１００から受信した原稿データに基づく画像を、用紙Ｓｈ上に印刷する。
【００４６】
画像読取部１６は、搬送経路Ｐを搬送される用紙Ｓｈを走査し、読み取り画像を取得する。画像検出部１５０は、画像読取部１６が取得した読み取り画像に対して、インライン測定を実施する。画像検出部１５０は、インライン測定として、例えば、光の波長ごとに計測可能なスペクトル方式（分光光度計）の測色を行い、測色値（Ｌ*ａ*ｂ*値、ＸＹＺ値など）を出力する。
【００４７】
後処理部１７は、画像形成部１４で画像が形成された用紙Ｓｈについて印刷ジョブに含まれる印刷設定に基づいて後処理を実行する。排紙制御部１６０は、排紙トレイ１８の用紙整形機能、昇降機能等の動作を制御する。
【００４８】
＜用紙搬送経路情報テーブルの構成＞
次に、図３を参照して、制御部１００のＣＰＵ１０１が制御の際に参照する用紙搬送経路情報テーブルＴの構成について説明する。図３は、用紙搬送経路情報テーブルＴの構成例を示す図である。
【００４９】
用紙搬送経路情報テーブルＴでは、画像形成装置１０の各動作モードと、該動作モードにおいて動作する部とが対応付けられている。図３に示す例では、画像形成装置１０の各動作モードとして、「コピー」、「プリント」、「インライン測定プリント」及び「スキャン」の各項目が記載されている。各動作モードにおいて動作する部としては、「給紙部」、「原稿読取部」、「画像形成部」、「画像検出部」及び「後処理部」の各項目が記載されている。用紙搬送経路情報テーブルＴにおいて、対応する動作モードで動作する部には丸印が付与されており、対応する動作モードにおいては動作しない部にはバツ印が付与されている。
【００５０】
例えば、制御部１００の通信制御部１０４が「コピー」を指示した印刷ジョブを受信した場合、ＣＰＵ１０１は、用紙搬送経路情報テーブルＴにおいて丸印が付与されている「給紙部」、「原稿読取部」、「画像形成部」及び「後処理部」を動作させる。そして、ＣＰＵ１０１による制御に基づいて、原稿読取部１１が原稿の画像を読み取り、読み取った画像を画像形成部１４が給紙部１２０から搬送された用紙Ｓｈ上に印刷する。その後、画像形成部１４で画像が形成された用紙Ｓｈに後処理部１７が後処理を実行し、後処理が実行された用紙Ｓｈは、排紙トレイ１８から排紙される。
【００５１】
また、例えば、制御部１００の通信制御部１０４が「プリント」を指示した印刷ジョブを受信した場合、ＣＰＵ１０１は、用紙搬送経路情報テーブルＴにおいて丸印が付与されている「給紙部」、「画像形成部」及び「後処理部」を動作させる。そして、ＣＰＵ１０１による制御に基づいて、画像形成部１４が、用紙搬送部１３０によって搬送された用紙Ｓｈ上に、原稿データに基づく画像を形成する。その後、画像形成部１４で画像が形成された用紙Ｓｈに後処理部１７が後処理を実行し、後処理が実行された用紙Ｓｈは、排紙トレイ１８から排紙される。
【００５２】
また、例えば、制御部１００の通信制御部１０４が「インライン測定プリント」を指示した印刷ジョブを受信した場合、ＣＰＵ１０１は、用紙搬送経路情報テーブルＴにおいて丸印が付与されている「給紙部」、「画像形成部」、「画像検出部」及び「後処理部」を動作させる。そして、ＣＰＵ１０１による制御に基づいて、画像形成部１４が、用紙搬送部１３０によって搬送された用紙Ｓｈ上に、原稿データに基づく画像を形成する。その後、画像検出部１５０が、画像形成部１４で画像が形成された用紙Ｓｈの画像を検出してインライン測定を実施し、画像検出部１５０によって画像が検出された用紙Ｓｈに、後処理部１７が後処理を実行する。後処理が実行された用紙Ｓｈは、排紙トレイ１８から排紙される。
【００５３】
また、例えば、制御部１００の通信制御部１０４が「スキャン」を指示した印刷ジョブを受信した場合、ＣＰＵ１０１は、用紙搬送経路情報テーブルＴにおいて丸印が付与されている「原稿読取部」を動作させる。そして、ＣＰＵ１０１による制御に基づいて、原稿読取部１１が原稿の画像を読み取り、読み取った画像をデジタル画像データに変換する。
【００５４】
＜機能リストの構成＞
次に、図４を参照して、制御部１００のＣＰＵ１０１が制御の際に参照する機能リストＬの構成について説明する。図４は、機能リストＬの構成例を示す図である。
【００５５】
機能リストＬでは、画像形成装置１０の各動作モードと、該動作モードで動作する部における各機能とが対応付けられている。図４に示す例では、画像形成装置１０の各動作モードとして、「コピー」、「プリント」及び「インライン測定プリント」の各項目が記載されている。各動作モードにおいて動作する部としては、「給紙部」、「原稿読取部」、「画像形成部」、「画像検出部」及び「後処理部」の各項目が記載されている。
【００５６】
また、該動作モードで動作する部における各機能（用紙搬送部１３０によって用紙Ｓｈが搬送される過程において実行される複数の機能の一例）としては、「給紙部」には「給紙」及び「除湿」の各機能が対応付けられており、「原稿読取部」には「原稿読取」の機能が対応付けられている。「画像形成部」には「画像形成」、「除電」及び「カール調整」の各機能が対応付けられており、「画像検出部」には「画像検出」の機能が対応付けられている。「後処理部」には、「後処理」、「用紙整形」及び「トレイ昇降」の各機能が対応付けられている。機能リストＬにおいて、対応する動作モードで有効化（ＯＮ）される機能には丸印が付与されており、対応する動作モードにおいては無効化（ＯＦＦ）される機能にはバツ印が付与されている。
【００５７】
例えば、制御部１００の通信制御部１０４が「コピー」を指示した印刷ジョブを受信した場合、ＣＰＵ１０１は、機能リストＬにおいて丸印が付与されている「給紙」、「除湿」、「原稿読取」、「画像形成」、「除電」、「カール調整」、「後処理」、「用紙整形」及び「トレイ昇降」の各機能をＯＮにし、「画像検出」の機能はＯＦＦにする。
【００５８】
また、例えば、制御部１００の通信制御部１０４が「プリント」を指示した印刷ジョブを受信した場合、ＣＰＵ１０１は、機能リストＬにおいて丸印が付与されている「給紙」、「除湿」、「画像形成」、「除電」、「カール調整」、「後処理」、「用紙整形」及び「トレイ昇降」の各機能をＯＮにし、「原稿読取」及び「画像検出」の各機能はＯＦＦにする。
【００５９】
また、例えば、制御部１００の通信制御部１０４が「インライン測定プリント」を指示した印刷ジョブを受信した場合、ＣＰＵ１０１は、機能リストＬにおいて丸印が付与されている「給紙」、「除湿」、「画像形成」、「除電」、「カール調整」、「画像検出」、「後処理」、「用紙整形」及び「トレイ昇降」の各機能をＯＮにし、「原稿読取」の機能はＯＦＦにする。
【００６０】
機能リストＬにおける各機能のＯＮ／ＯＦＦの設定は、画像形成後の用紙Ｓｈの用途によって異なる。機能リストＬにおける各機能のＯＮ／ＯＦＦの設定と、画像形成後の用紙Ｓｈの用途との対応は、予め固定的に設定されていてもよく、ユーザーにより設定されてもよい。
【００６１】
ユーザーによる設定を受け付ける場合、ユーザーからの指示は、例えば、操作表示部１２（図１参照）の操作部や端末装置５０の操作部（図示略）に表示したＵＩ（User Interface）等を介して受け付けることができる。ユーザーによる指示は、操作表示部１２の操作部や端末装置５０の操作部（図示略）に対する操作入力によって行われる。ここで、図５及び図６を参照して、用途毎の機能のＯＮ／ＯＦＦの設定を受け付ける画面の一例である省エネ設定画面の構成について説明する。
【００６２】
図５は、設定内容の編集が可能な状態における省エネ設定画面の構成例を示す図であり、図６は、設定内容の編集が不可能な状態における省エネ設定画面の構成例を示す図である。図５及び図６に示すように、省エネ設定画面の上部には、「編集する機能の選択」の説明が付されたリストボックスＬｂが配置されている。リストボックスＬｂには、「コピー」、「プリント」及び「インライン測定プリント」の各アイテムが表示されている。そして、図５及び図６に示す例では、そのうちの「プリンタ」が選択されている。
【００６３】
省エネ設定画面の下部には、「省エネ設定」の文字が記載されたチェックボックスＣｂが配置されている。チェックボックスＣｂの下部には、用途毎の機能のＯＮ／ＯＦＦを設定可能な設定リストＬｔが配置されている。チェックボックスＣｂにチェックが入っている場合、設定リストＬｔの編集が可能となり、チェックが外れている場合は、設定リストＬｔの編集は不可となる。
【００６４】
設定リストＬｔでは、用紙Ｓｈの用途と、ＯＦＦすることが可能な機能とが対応付けられている。用紙Ｓｈの用途としては、「Adjustment」、「Maintenance」、「TestPage」、「SamplePage」、「ConfigurationPage」、「Log」及び「ErrorPage」の各項目が記載されている。
【００６５】
「Adjustment」は、画像形成装置１０の各種調整機能の動作状態を確認する用途であり、「Maintenance」は、画像形成装置１０に対する保守実行内容を確認する用途である。「TestPage」は、ＯＳや画像形成装置１０などに搭載されたテスト印刷機能によるテスト印刷を行う用途であり、「SamplePage」は、画像の特定部分のみを対象としたテスト印刷を行う用途である。「ConfigurationPage」は、画像形成装置１０の各種設定情報を確認する用途であり、「Log」は、画像形成装置１０の実行したジョブのログ等を確認する用途であり、「ErrorPage」は、ジョブのＲＩＰエラー等の各種エラー情報の確認を行う用途である。なお、これらの機能は一例であり、ＯＦＦをすることが可能な機能として、これら以外の機能が設けられてもよい。
【００６６】
また、画像形成装置１０の機能としては、「除湿」、「除電」、「カール調整」、「用紙整形」及び「トレイ昇降」の各項目が記載されている。設定リストＬｔにおいて、対応する機能においてＯＦＦすることが可能な機能に対しては、「ＯＦＦ可」と記載されている。ユーザーは、チェックチェックボックスＣｂにチェックを入れて編集を有効にした後に、用途毎の機能ＯＮ／ＯＦＦの設定を変更することができる。
【００６７】
図６には、チェックボックスＣｂのチェックが外れている場合における、用途毎の機能ＯＮ／ＯＦＦ設定テーブルＴ２の構成例を示している。図６に示すように、チェックボックスＣｂのチェックが外れている場合には、設定リストＬｔはグレーアウトされ、ユーザーによる操作を受け付けなくなる。
【００６８】
設定リストＬｔの下方にはＯＫボタンＢ１及びキャンセルボタンＢ２が配置されている。ユーザーによりＯＫボタンＢ１が押下された場合には、設定リストＬｔにおける設定内容が確定され、キャンセルボタンＢ２が押下された場合には、設定リストＬｔにおける設定内容はキャンセルされる。
【００６９】
画像形成装置１０の制御部１００のＣＰＵ１０１は、予め固定的に設定された情報、又は、図５（及び図６）に示した省エネ設定画面等のＵＩを介してユーザーにより設定された情報に基づいて、用紙Ｓｈの用途に対応する機能リストＬの内容を更新する。例えば、ネットワーク制御部１１０又は通信制御部１０４が受信した印刷ジョブにおいて指定されている用途が「Ａｄｊｕｓｔｍｅｎｔ」である場合、ＣＰＵ１０１は、機能リストＬにおける「Ａｄｊｕｓｔｍｅｎｔ」に対応づけられた各機能をＯＮ又はＯＦＦする。
【００７０】
ここで、図７を参照して、機能リストＬにおける特定の機能に対応づけられた各機能のＯＮ／ＯＦＦの設定例について説明する。図７は、機能リストＬにおける特定の用途（Ａｄｊｕｓｔｍｅｎｔ）に対応づけられた各機能のＯＮ／ＯＦＦの設定例を示す説明図である。
【００７１】
ここでは、画像形成装置１０の制御部１００のＣＰＵ１０１が、省エネ設定画面等を介してユーザーから受け付けた設定内容に基づいて、機能リストＬの各機能のＯＮ／ＯＦＦを設定する例を挙げる。図５に示した省エネ設定画面においては、「Ａｄｊｕｓｔｍｅｎｔ」に対応する機能のうち、「用紙整形」及び「トレイ昇降」の各機能が「ＯＦＦ可」に設定されている。したがって、ＣＰＵ１０１は、図７に示すように、機能リストＬの「用紙整形」及び「トレイ昇降」の各項目をＯＦＦ（図中ではバツ印で示される）にする。
【００７２】
なお、所定の用途において機能をＯＦＦにする動作自体を実施するか否かを、操作表示部１２や、端末装置５０の表示部（図示略）に表示させたＵＩ等を介して、ユーザーにより設定させてもよい。図８は、機能をＯＦＦにする動作の実施の可否（実行／非実行）を問う場面で表示されるポップアップ画面Ｓｃ２の構成例を示す図である。図８に示すポップアップ画面Ｓｃ２には、「Ａｄｊｕｓｔｍｅｎｔ中の機能ＯＦＦが設定されています  設定の確認と変更を行いますか」のメッセージが表示され、その下方に、「はい」ボタンＢ３及び「いいえ」ボタンＢ４のボタンが配置されている。ユーザーは、この画面において「はい」ボタンＢ３を押下する事により、「Ａｄｊｕｓｔｍｅｎｔ」の用途においてＯＦＦされる機能の確認及び変更を行うことができる。
【００７３】
図９は、図８に示したポップアップ画面Ｓｃ２で「はい」が選択場合に表示される機能ＯＦＦ項目設定画面Ｓｃ３の例を示す図である。図９に示す機能ＯＦＦ項目設定画面Ｓｃ３には、「Ａｄｊｕｓｔｍｅｎｔ中の機能ＯＦＦが設定されています  機能ＯＦＦ項目の設定ができます」のメッセージが表示され、その下方に、ＯＦＦにすることが可能な機能を選択できるチェックボックスが配置されている。
【００７４】
図９に示す例では、ＯＦＦ可能な機能として、「用紙整形」、「トレイ昇降」、「カール調整」、「除湿」、「除電」の各項目が表示されており、これらのうちの「用紙整形」及び「トレイ昇降」のチェックボックスにチェックが入っている。ユーザーは、Ａｄｊｕｓｔｍｅｔの機能を実施する際にＯＦＦしたい機能のチェックボックスにチェックを入れることにより、該機能をＯＦＦすることができる。
【００７５】
機能ＯＦＦ項目設定画面Ｓｃ３の下方にはＯＫボタンＢ５及びキャンセルボタンＢ６が配置されている。ユーザーによりＯＫボタンＢ５が押下された場合には、機能ＯＦＦ項目設定画面Ｓｃ３における設定内容が確定され、キャンセルボタンＢ６が押下された場合には、機能ＯＦＦ項目設定画面Ｓｃ３における設定内容はキャンセルされる。
【００７６】
＜画像形成装置による画像形成方法＞
次に、図１０を参照して、本実施形態に係る画像形成装置１０による画像形成方法について説明する。図１０は、画像形成装置１０による画像形成方法の手順の例を示すフローチャートである。
【００７７】
まず、画像形成装置１０の制御部１００のＣＰＵ１０１は、ネットワーク制御部１１０又は通信制御部１０４を介して、画像形成指示を含む印刷ジョブを受信したか否かを判定する（ステップＳ１）。ステップＳ１で、画像形成指示を受信していないと判定された場合（ステップＳ１がＮＯ判定の場合）、ＣＰＵ１０１はステップＳ１の判定を繰り返す。
【００７８】
一方、ステップＳ１で、画像形成指示を受信したと判定された場合（ステップＳ１がＹＥＳ判定の場合）、ＣＰＵ１０１は、用紙搬送経路情報テーブルＴ（図３参照）より用紙搬送経路情報を取得する（ステップＳ２）。例えば、画像形成指示としてコピーが指示された場合には、ＣＰＵ１０１は、用紙搬送経路情報として、コピーの実行時に動作する部は、給紙部１２０、原稿読取部１１、画像形成部１４、後処理部１７であるという情報を取得する。
【００７９】
次いで、ＣＰＵ１０１は、ステップＳ２で取得した用紙搬送経路情報に基づいて、機能リストＬ内の該当する機能をすべてＯＮにする（ステップＳ３）。例えば、ＣＰＵ１０１は、ステップＳ２で取得した用紙搬送経路情報に基づいて、給紙部１２０、原稿読取部１１、画像形成部１４、後処理部１７のすべての機能をＯＮにする。これにより、用紙Ｓｈが搬送される過程において実行されるすべての機能が、通常のモードで動作する。
【００８０】
次いで、ＣＰＵ１０１は、画像形成指示に基づき画像形成を行う用紙Ｓｈの用途が、所定の用途であるか否かを判定する（ステップＳ４）。所定の用途とは、後の工程における使用が想定されない用途であり、上述した「Adjustment」、「Maintenance」、「TestPage」、「SamplePage」、「ConfigurationPage」、「Log」、「ErrorPage」等が該当する。
【００８１】
ステップＳ４で、用紙Ｓｈの用途は所定の用途であると判定された場合（ステップＳ４がＹＥＳ判定の場合）、ＣＰＵ１０１は、所定の用途において実施が不要な機能の確認が完了したか否かを判定する（ステップＳ５）。ステップＳ５で、不要な機能が含まれているか否かの確認は完了していないと判定された場合（ステップＳ５がＮＯ判定の場合）、ＣＰＵ１０１は、機能リストＬ内に不要な機能が含まれているか否かの確認を行う（ステップＳ６）。不要な機能とは、例えば、図５（及び図６）に示した省エネ設定画面おいて「ＯＦＦ可」の設定が行われた機能である。
【００８２】
ステップＳ６で、不要な機能が含まれていると判定された場合（ステップＳ６がＹＥＳ判定の場合）、ＣＰＵ１０１は、機能リストＬ内の不要な機能をＯＦＦにする（ステップＳ７）。例えば、ステップＳ４で判定した所定の用途が「Ａｄｊｕｓｔｍｅｎｔ」である場合、ＣＰＵ１０１は、図５（及び図６）に示した省エネ設定画面おいて「ＯＦＦ可」に設定されている「用紙整形」及び「トレイ昇降」の各機能を、機能リストＬにおいてＯＦＦにする。ステップＳ７の処理後、又は、ステップＳ６がＮＯ判定の場合、ＣＰＵ１０１は、ステップＳ５の判定を繰り返す。
【００８３】
ステップＳ４で、画像形成指示に基づき画像形成を行う用紙Ｓｈの用途は所定の用途でないと判定された場合（ステップＳ４がＮＯ判定の場合）、又は、ステップＳ５がＹＥＳ判定の場合、ＣＰＵ１０１は、機能リストＬの設定内容に基づいて、用紙Ｓｈが搬送される経路上の機能のＯＮ／ＯＦＦを設定する（ステップＳ８）。用紙Ｓｈが搬送される経路上の機能とは、すなわち、用紙Ｓｈが搬送される過程において実行される機能である。
【００８４】
次いで、ＣＰＵ１０１による制御に基づき、画像形成部１４（図２参照）が、給紙部１２０で給紙されて用紙搬送部１３０により搬送された用紙Ｓｈに対して、原稿データに基づいて、画像形成処理を行う（ステップＳ９）。
【００８５】
次いで、ＣＰＵ１０１による制御に基づき、後処理部１７は、画像形成部１４で画像が形成された用紙Ｓｈについて、印刷ジョブに含まれる印刷設定に基づいて、後処理を実行する（ステップＳ１０）。次いで、ＣＰＵ１０１による制御に基づき、後処理部１７による後処理が実行された用紙Ｓｈが、排紙トレイ１８（図１参照）から排紙される（ステップＳ１１）。このとき、機能リストＬが、図７に示す設定内容であった場合には、排紙トレイ１８における用紙整形及びトレイ昇降は実行されない。ステップＳ１１の処理後、処理は終了する。
【００８６】
上述した実施形態では、画像形成装置１０の制御部１００のＣＰＵ１０１は、画像形成部１４により画像が形成された用紙Ｓｈの用途が、後の工程における使用が想定されない用途である場合に、用紙搬送部１３０によって用紙Ｓｈが搬送される過程において実行される複数の機能のうちの一部の機能をオフにした上で、画像形成部１４及び用紙搬送部１３０を動作させる制御を行う。それゆえ、本実施形態によれば、画像の形成後の用紙Ｓｈの用途が、後の工程における使用が想定されない用途である場合に消費電力が節減されるため、消費電力の抑制効果を高めることができる。
【００８７】
また、上述した実施形態において、画像の形成後の工程における使用が想定されない用途は、用紙Ｓｈの高画質な出力を要しない用途、画像の形成後の用紙Ｓｈの保管を要しない用途、用紙Ｓｈの出力枚数が所定の枚数以下となる用途のうちの少なくとも１つを含む。それゆえ、本実施形態によれば、用紙Ｓｈの用途がこれらのうちのいずれかである場合に、一部の機能がオフにされるため、消費電力の抑制効果を高めることができる。
【００８８】
また、上述した実施形態において、ＣＰＵ１０１によってＯＦＦされる機能は、排紙トレイ１８における用紙整形機能、排紙トレイ１８の昇降機能、用紙Ｓｈのカール調整機能、用紙Ｓｈの除湿機能、及び、画像形成部１４における除電機能のうちの少なくとも１つを含む。そして、本実施形態では、これらの機能が停止されることによる影響が少ない用途においてこれらのうちの少なくとも一つの機能が停止されるため、消費電力の抑制効果を高めることができる。
【００８９】
また、上述した実施形態において、画像の形成後の工程における使用が想定されない用途は、画像形成装置１０の調整機能の確認用の用途、画像形成装置１０の保守実行内容の確認用途、テスト印刷の用途、画像形成装置１０の設定情報の印刷用途、ログの印刷用途、エラー情報の印刷用途のうちの少なくとも１つを含む。それゆえ、本実施形態では、用紙Ｓｈの用途がこれらのうちのいずれかである場合に、一部の機能がオフにされるため、消費電力の抑制効果を高めることができる。
【００９０】
また、上述した実施形態では、画像の形成後の工程における使用が想定されない用途の種類、及び／又は、ＣＰＵ１０１によってオフされる機能の種類は、ユーザーにより設定される。それゆえ、本実施形態によれば、ユーザーは、一部の機能をオフにする際の判断基準となる用紙Ｓｈの用途の種類、及び／又は、オフしてもよい機能の種類を、業務内容や好み等に応じて自由に設定することができる。
【００９１】
なお、本発明は上述した各種実施形態に限られるものではなく、特許請求の範囲に記載した本発明の要旨を逸脱しない限りにおいて、その他種々の応用例、変形例を取り得る。例えば、画像形成装置１０の制御部１００のＣＰＵ１０１が一部の機能をＯＦＦにする制御を行う際に、その旨を操作表示部１２の画面等を介してユーザーに通知してもよい。
【００９２】
また、図２中に実線で示す制御線や情報線等は説明上必要と考えられるものを示しており、製品上必ずしも全ての制御線や情報線を示しているとは限らない。実際には殆ど全ての構成が相互に接続されていると考えてもよい。
【符号の説明】
【００９３】
１０…画像形成装置、１２…操作表示部、１３…給紙トレイ、１４…画像形成部、１５…カール調整部、１６…画像読取部、１７…後処理部、１８…排紙トレイ、１００…制御部、１０１…ＣＰＵ、１２０…給紙部、１３０…用紙搬送部、１３１…除湿部、１４０…ＲＩＰ部、１４４…除電部、１５０…画像検出部
【図１】
2020183070.tif 000003
【図２】
2020183070.tif 000004
【図３】
2020183070.tif 000005
【図４】
2020183070.tif 000006
【図５】
2020183070.tif 000007
【図６】
2020183070.tif 000008
【図７】
2020183070.tif 000009
【図８】
2020183070.tif 000010
【図９】
2020183070.tif 000011
【図１０】
2020183070.tif 000012